(57)【要約】      （修正有）【課題】自動的にチャプタマークを付加してユーザの利便性に供する情報記録再生装置を提供する。【解決手段】データプロセッサ部は、アスペクト比あるいはコピーライトに関するデータ値が変化したかどうかを判断する（ステップＳ１）。ステップＳ１において変化した場合には、チャプタマークを付加する（ステップＳ４）。一方、ステップＳ１においてデータ値が変化しない場合には、文字情報を乗せるラインの値が変化するかどうかを判断する（ステップＳ２）。ステップＳ２において変化する場合には、ステップＳ４に進み、チャプタマークを付加する。一方、ステップ２において、変化しない場合には、ステップＳ１に戻る。【選択図】図１０
2006332993.tif 000002
【特許請求の範囲】
【請求項１】
放送ビデオ情報を記録媒体に記録／再生するための情報記録再生装置であって、
前記放送ビデオ情報を受信して復号するための信号処理部と、
前記信号処理部で復号された放送ビデオ信号を用いて前記記録媒体に対して記録／再生する際に用いられる管理情報を生成するデータ処理部と、
前記データ処理部により生成された前記管理情報とともに前記放送ビデオ信号を前記記録媒体に対して記録／再生するドライブ部とを備え、
前記データ処理部は、前記放送ビデオ信号の垂直帰線消去期間に入力されるアスペクト比について規定したデータ、コピーライトについて規定したデータおよび文字情報が載せられたデータの少なくともいずれか一つに基づいてチャプタマークを生成する、情報記録再生装置。
【請求項２】
放送ビデオ情報を記録媒体に記録／再生するための情報記録再生装置であって、
前記放送ビデオ情報を受信して復号するための信号処理部と、
前記信号処理部で復号された放送ビデオ信号を用いて前記記録媒体に対して記録／再生する際に用いられる管理情報を生成するデータ処理部と、
前記データ処理部により生成された前記管理情報とともに前記放送ビデオ信号を前記記録媒体に対して記録／再生するドライブ部とを備え、
前記データ処理部は、前記放送ビデオ信号の垂直帰線消去期間に入力される映像ライン信号の一部のデータに基づいて前記管理情報に含まれる前記記録媒体に前記放送ビデオ情報を記録する際の放送内容の切れ目を管理するチャプタマークを生成する、情報記録再生装置。
【請求項３】
前記データ処理部は、前記放送ビデオ信号の垂直帰線消去期間に入力されるアスペクト比について規定したデータに基づいてチャプタマークを生成する、請求項２記載の情報記録再生装置。
【請求項４】
前記データ処理部は、前記放送ビデオ信号の垂直帰線消去期間に入力されるコピーライトについて規定したデータに基づいてチャプタマークを生成する、請求項２記載の情報記録再生装置。
【請求項５】
前記データ処理部は、前記放送ビデオ信号の垂直帰線消去期間に入力される文字情報が載せられたデータに基づいてチャプタマークを生成する、請求項２記載の情報記録再生装置。
【請求項６】
放送ビデオ情報を記録媒体に記録／再生するための情報記録再生装置であって、
前記放送ビデオ情報を受信して復号するための信号処理部と、
前記信号処理部で復号された放送ビデオ信号を用いて前記記録媒体に対して記録／再生する際に用いられる管理情報を生成するデータ処理部と、
前記データ処理部により生成された前記管理情報とともに前記放送ビデオ信号を前記記録媒体に対して記録／再生するドライブ部とを備え、
前記データ処理部は、前記放送ビデオ信号の所定の映像ライン信号の変化に基づいて前記管理情報に含まれる前記記録媒体に前記放送ビデオ情報を記録する際の放送内容の切れ目を管理するチャプタマークを生成する、情報記録再生装置。
【発明の詳細な説明】
【技術分野】
【０００１】
本発明は、ＤＶＤ（Digital Versatile Disc）等の記録媒体に対して記録された情報を再生する情報記録再生装置に関する。
【背景技術】
【０００２】
従来よりテレビ（ＴＶ）放送等の放送ビデオ信号を受信して録画する場合、例えばコマーシャル（ＣＭとも称する）等をスキップする機能等がビデオテープレコーダ等の情報記録再生装置に設けられていた。これは、番組放送からコマーシャルに移る際の音声信号によりその変化を検知してＣＭをスキップする手法を取っていた。具体的には、番組放送の音声信号はモノラル放送であった場合に、ＣＭはステレオ放送であるためこの音声信号の変化を検知して、モノラル放送からステレオ放送に移った際には録画を中止して、再びステレオ放送からモノラル放送に移った際に録画を再開することによりＣＭをスキップする方式が採用されていた。
【０００３】
これによりユーザは、ＣＭをスキップして番組放送のみを視聴することが可能であった。
【０００４】
しかしながら、上記機能は、音声信号に依存しているためたとえばステレオ放送の番組放送である場合には対応することができないという問題があった。
【０００５】
一方、ＣＭをスキップする機能と関連して番組放送とＣＭとの間にチャプタマークを付加して後の編集作業でＣＭをカットする方式も存在する。
【０００６】
特開２００２−１５２５６３６号公報においては、ユーザが放送ビデオ信号を受信して録画する場合、自身で一時停止操作を実行することによりチャプタマークを付加してチャプタを作成する方式が開示されている。
【特許文献１】特開２００２−１５２５６３６号公報
【発明の開示】
【発明が解決しようとする課題】
【０００７】
しかしながら、上記公報に示される方式は、常にユーザが放送ビデオ信号を視聴しながら自身で操作しなければならず操作が面倒であり利便性に欠ける。
【０００８】
本発明は、上記のような問題を解決するためになされたものであって、自動的にチャプタマークを付加してユーザの利便性に供する情報記録再生装置を提供することを目的とする。
【課題を解決するための手段】
【０００９】
本発明に係る情報記録再生装置は、放送ビデオ情報を記録媒体に記録／再生するための情報記録再生装置であって、放送ビデオ情報を受信して復号するための信号処理部と、信号処理部で復号された放送ビデオ信号を用いて記録媒体に対して記録／再生する際に用いられる管理情報を生成するデータ処理部と、データ処理部により生成された管理情報とともに放送ビデオ信号を記録媒体に対して記録／再生するドライブ部とを備える。データ処理部は、放送ビデオ信号の垂直帰線消去期間に入力されるアスペクト比について規定したデータ、コピーライトについて規定したデータおよび文字情報が載せられたデータの少なくともいずれか一つに基づいてチャプタマークを生成する。
【００１０】
本発明に係る別の情報記録再生装置は、放送ビデオ情報を記録媒体に記録／再生するための情報記録再生装置であって、放送ビデオ情報を受信して復号するための信号処理部と、信号処理部で復号された放送ビデオ信号を用いて記録媒体に対して記録／再生する際に用いられる管理情報を生成するデータ処理部と、データ処理部により生成された管理情報とともに放送ビデオ信号を記録媒体に対して記録／再生するドライブ部とを備える。データ処理部は、放送ビデオ信号の垂直帰線消去期間に入力される映像ライン信号の一部のデータに基づいて管理情報に含まれる記録媒体に放送ビデオ情報を記録する際の放送内容の切れ目を管理するチャプタマークを生成する。
【００１１】
好ましくは、データ処理部は、放送ビデオ信号の垂直帰線消去期間に入力されるアスペクト比について規定したデータに基づいてチャプタマークを生成する。
【００１２】
好ましくは、データ処理部は、放送ビデオ信号の垂直帰線消去期間に入力されるコピーライトについて規定したデータに基づいてチャプタマークを生成する。
【００１３】
好ましくは、データ処理部は、放送ビデオ信号の垂直帰線消去期間に入力される文字情報が載せられたデータに基づいてチャプタマークを生成する。
【００１４】
本発明に係るさらに別の情報記録再生装置は、放送ビデオ情報を記録媒体に記録／再生するための情報記録再生装置であって、放送ビデオ情報を受信して復号するための信号処理部と、信号処理部で復号された放送ビデオ信号を用いて記録媒体に対して記録／再生する際に用いられる管理情報を生成するデータ処理部と、データ処理部により生成された管理情報とともに放送ビデオ信号を記録媒体に対して記録／再生するドライブ部とを備える。データ処理部は、放送ビデオ信号の所定の映像ライン信号の変化に基づいて管理情報に含まれる記録媒体に放送ビデオ情報を記録する際の放送内容の切れ目を管理するチャプタマークを生成する。
【発明の効果】
【００１５】
本発明に係る情報記録再生装置は、データ処理部において、放送ビデオ信号の垂直帰線消去期間に入力される映像ライン信号の一部のデータに基づいてチャプタマークを生成する、したがって、データを検知することにより自動的にチャプタマークを付加することが可能であるためユーザの利便性に供する。
【発明を実施するための最良の形態】
【００１６】
以下、本発明の実施の形態について図面を参照しながら詳細に説明する。なお、図中同一または相当部分には同一符号を付し、その説明は繰返さない。
（実施の形態１）
図１は、本発明の実施の形態１に従う情報記録再生装置１の概略ブロック図である。
【００１７】
図１を参照して、本発明の実施の形態１に従う情報記録再生装置１は、情報記録再生装置１全体を制御する制御部５と、放送ビデオ情報を受信するチューナ１５と、チューナ１５からの出力信号を受けてエンコード（復号）するエンコーダ部１０と、エンコーダ部１０で復号された放送ビデオ信号を受けてデータ処理するためのデータプロセッサ部２５と、メモリ２０と、記録媒体１００を駆動して記録信号を記録あるいは記録媒体から再生信号を再生（記録／再生）するためのディスクドライブ部３０とを備える。
【００１８】
データプロセッサ部２５は、制御部５からの指示に応答して記録媒体１００に対してエンコーダ部１０で復号された放送ビデオ信号を記録するためにディスクドライブ部３０に供給する。また、データプロセッサ部２５は、放送ビデオ信号を記録媒体に記録する際に用いる記録データの管理情報を作成する。そして、メモリ２０に作成した管理情報を一時的に記録しておくことが可能である。すなわち、データプロセッサ部２５は、制御部５からの指示のもと記録する放送ビデオ信号あるいは記録媒体を再生した再生ビデオ信号の編集作業等を実行する。
【００１９】
本実施の形態１においては、データプロセッサ部２５で生成される管理情報に含まれる放送内容の切れ目を示すチャプタマークを作成する方式について説明する。具体的には、放送ビデオ情報に含まれるデータに基づいてチャプタマークを作成する。
【００２０】
一般的に放送番組が同じであれば、映像に関するアスペクト比やコピーライトに関する情報は同じであり、変化することはない。
【００２１】
したがって、本発明の実施の形態１においては、受信される放送ビデオ信号に含まれるアスペクト比あるいはコピーライトに関する情報の変化を検出して、放送番組の変化を判断する。
【００２２】
放送方式として一例としてＮＴＳＣ方式と、ＰＡＬ方式とを例に挙げて以下説明する。
ＮＴＳＣ方式は、走査線本数５２５本、６０フィールドに対応した放送方式であり、アスペクト比およびコピーライトに関する情報は、垂直帰線消去期間の水平走査ライン２０および２８３に重畳されている。この点については、規格により定められたものであり、「Video systems(525/60)-Video and accompanied data using the vertical blanking interval-Analogue interface(IEC 1998(61880))」に掲載されている。
【００２３】
図２は、ＮＴＳＣ方式で放送される放送ビデオ情報の垂直帰線消去期間に入力される水平走査ライン２０に対応するデータ構造を説明する図である。
【００２４】
図２を参照して、ここでは、水平走査ライン２０に対応して重畳された２０ビットの認識データ構造について説明する。水平走査ライン２８３についても同様である。
【００２５】
最初の１，２ビット目がワード（ＷＯＲＤ）０、次の３〜６ビット目がワード（ＷＯＲＤ）１、次の７〜１４ビット目がワード（ＷＯＲＤ）２、１５〜２０ビット目が誤り訂正に用いられるエラーチェックコード（ＥＣＣ）として定義付けられている。
【００２６】
このデータ構造の最初のワード０がアスペクト比に関する情報である。
図３は、ワード０のデータ構造を説明する図である。
【００２７】
図３を参照して、１，２ビット目とアプリケーションとしてアスペクト比との関係が説明されている。たとえば、１，２ビット目がともに「００」であるならば４：３のアスペクト比で画像フォーマットは通常（Ｎｏｒｍａｌ）である。「１０」であるならば１６：９のアスペクト比で画像フォーマットは通常である。「０１」であるならば４：３のアスペクト比で画像フォーマットはレターボックス（Ｌｅｔｔｅｒ  ｂｏｘ）となる。「１１」については、規定されていない。
【００２８】
図４は、ワード１およびワード２のデータ構造を説明する図である。
図４を参照して、ここでは、ワード１に関して３〜６ビット目が「００００」で規定されている。この場合には、後のワード２においてコピー制限情報が認証される。
【００２９】
一方、ワード２においてコピー制限情報が認証されない場合には、ワード１に関して３〜６ビット目は、全て「１１１１」で規定されることになる。
【００３０】
図５は、ワード２の７，８ビット目のデータについて説明する図である。
図５を参照して、ワード２の７ビット目は、コピーライトに関する情報である。一方、ワード２の８ビット目は、コピー生成ビットに関する情報である。
【００３１】
図６は、ワード２の７，８ビット目の情報に基づいて規定されるアプリケーションを説明する図である。
【００３２】
図６を参照して、ワード２の７，８ビット目が「００」の場合には、制限なしのコピーが許可されている。「０１」の場合は、規定されていない。「１０」の場合には、１回だけのコピーが許可されている。「１１」の場合にはコピーは禁止されている。なお、ワード２の９ビット目以降はさらに別の制御データとして規定されている。
【００３３】
上記においては、ＮＴＳＣ方式で放送される放送ビデオ情報について説明したがＰＡＬ方式で放送される放送ビデオ情報についても同様の判別が可能である。
【００３４】
ＰＡＬ方式は、走査線本数６２５本、５０フィールドに対応した放送方式であり、アスペクト比およびコピーライトに関する情報は、垂直帰線消去期間の水平走査ライン２３に重畳されている。この点については、規格により定められたものであり、「Television Systems; 625-line television Wide Screen Signaling(WSS)(ETSI September 1997(ETS 300 294))」に掲載されている。
【００３５】
図７は、ＰＡＬ方式で放送される放送ビデオ情報の垂直帰線消去期間に入力される水平走査ライン２３に対応する一部のデータ構造を説明する図である。
【００３６】
図７を参照して、ここでは、水平走査ライン２３に対応して重畳されたデータ構造の一部分が示されている。具体的には、ランイン（run-in）、スタートコード（Start code）、グループ（group）１〜４が示されている。ランインは、２９ビット確保されている。スタートコード、グループ１および２は、２４ビット確保されている。グループ３および４は、１８ビット確保されている。
【００３７】
ＰＡＬ方式においては、水平走査ライン２３のグループ１にアスペクト比に関するデータが規定されている。そして、グループ４にコピーライトに関するデータが規定されている。
【００３８】
図８は、グループ１のアスペクト比に関するデータ構造を説明する図である。
ｂ０〜ｂ３の４つのビットナンバーが規定されており、ｂ０〜ｂ３でアスペクト比が規定される。ｂ４は、いわゆるパリティチェックのためのパリティビットとして設けられたエラーチェックコードである。各ビットナンバーには、６ビットのビット値が与えられる。ビットナンバーの値が「０」であるならば「０００１１１」のビット値となる。「１」であるならば「１１１０００」のビット値となる。
【００３９】
たとえば、ビットナンバーｂ０〜ｂ３が「０００」であるならば４：３のアスペクト比で画像フォーマットはフル（通常）である。ポジションは規定されていない。また、「１００」であるならば１４：９のアスペクト比で画像フォーマットはレターボックスである。ポジションはセンターである。残りについても各々ビットナンバーによってそれぞれ規定されている。
【００４０】
図９は、グループ４のコピーライトに関するデータ構造を説明する図である。
上記のビットナンバーに従うとビットナンバーｂ１２およびｂ１３に対応する。
【００４１】
ビットナンバーｂ１２がコピーライトに関する情報である。ビットナンバーｂ１３がコピー生成ビットに関する情報である。
【００４２】
たとえば、ビットナンバーｂ１２が「０」（ビット値は「０００１１１」）の場合は、コピー禁止である。ビットナンバーｂ１２が「１」（ビット値は「１１１０００」）の場合は、コピー許可である。一方、ビットナンバーｂ１３が「０」（ビット値は「０００１１１」）の場合は、コピー制限無しである。ビットナンバーｂ１３が「１」（ビット値は「１１１０００」）の場合は、コピー制限有りとなる。
【００４３】
したがって、上記において説明したように規格により定められているラインのデータを検出することによりアスペクト比およびコピーライトの情報を取得して、放送番組の変化を判断することが可能である。
【００４４】
一方、放送番組の変化の判断として文字放送番組かどうかを判別することにより、放送番組の変化を判断することも可能である。いわゆるクローズキャプション（文字情報）（Ｃｌｏｓｅ  Ｃａｐｔｉｏｎ）は、国によって重畳するラインが異なるが主に垂直帰線消去期間の所定のラインが用いられる。したがって、この所定のラインに重畳される文字情報に関する制御データの変化を検出して放送番組の変化を判断することが可能である。
【００４５】
図１０は、放送ビデオ情報を受信する本発明の情報記録再生装置１においてチャプタマークを付加する方式を説明する図である。
【００４６】
図１０を参照して、データプロセッサ部２５は、アスペクト比あるいはコピーライトに関するデータ値が変化したかどうかを判断する（ステップＳ１）。具体的には、ＮＴＳＣ方式の放送ビデオ信号の場合にはライン２０あるいはライン２８３のワード０〜ワード２のいずれかのデータ値が変化したかを判断する。また、ＰＡＬ方式の放送ビデオ信号の場合には、ライン２３のグループ１あるいはグループ４のいずれかのデータ値が変化したかを判断する。ステップＳ１において変化した場合には、チャプタマークを付加する（ステップＳ４）。そして、最初のステップＳ１に戻る。一方、ステップＳ１においてデータ値が変化しない場合には、文字情報を乗せるラインの値が変化するかどうかを判断する（ステップＳ２）。ステップＳ２において変化する場合には、ステップＳ４に進み、チャプタマークを付加する。一方、ステップ２において、変化しない場合には、ステップＳ１に戻る。
【００４７】
本発明の実施の形態に従う方式により容易に放送番組の変化を検出してチャプタマークを付加することが可能である。したがって、たとえば、放送番組からＣＭへの移行やＣＭから放送番組への移行の際に容易にチャプタマークを付加することが可能であり、データ編集の際の利便性に供する。
（実施の形態２）
上記の実施の形態１においては、垂直帰線消去期間に重畳されるデータ情報のアスペクト比あるいはコピーライトあるいは文字情報等の情報を用いてチャプタマークを付加する方式について説明した。
【００４８】
本実施の形態２においては、別のチャプタマークの付加方式について説明する。
画像フォーマットが１６対９の放送ビデオ信号から４対３のレターボックスの放送ビデオ信号のアスペクト比が変化した場合、４対３のレターボックスの画面においては上下に黒帯の領域が存在する。すなわち、この黒帯の領域の水平走査ラインには黒色の映像信号がのっていることになる。
【００４９】
したがって、この黒帯の領域を構成する水平走査ラインの信号を検出すれば、１６対９の放送ビデオ信号から４対３のレターボックスの放送ビデオ信号にアスペクト比が変化したことを容易に検出することが可能である。
【００５０】
図１１は、本発明の実施の形態２に従う放送ビデオ情報を受信する本発明の情報記録再生装置１においてチャプタマークを付加する方式を説明する図である。ここでは、たとえば、水平走査ラインとしてライン２３を例に挙げて説明する。
【００５１】
図１１を参照して、ライン２３のデータ値は黒色の映像信号（黒信号とも称する）に変化したかどうかを判断する（ステップＳ１１）。変化した場合には、１６対９の放送ビデオ信号から４対３のレターボックスの放送ビデオ信号にアスペクト比が変化したと判断できるのでチャプタマークを付加する（ステップＳ１２）。そして、ライン２３のデータ値は黒色の映像信号（黒信号とも称する）を維持しているかどうかを判断する（ステップＳ１３）。黒信号である場合には、放送番組は変更されていないと判断されるのでステップＳ１３に留まる。一方、ステップＳ１３において、黒信号ではないと判断される場合には、４対３のレターボックスの放送ビデオ信号からたとえば１６対９の放送ビデオ信号にアスペクト比が変化したと判断できるのでチャプタマークを付加する（ステップＳ１４）。そして、最初のステップＳ１１に戻る。
【００５２】
本発明の実施の形態２に従う方式によりラインのデータ信号を識別することにより容易にアスペクト比の変化を検出してチャプタマークを付加することが可能となる。したがって、たとえば、放送番組からＣＭへの移行やＣＭから放送番組への移行の際に容易にチャプタマークを付加することが可能であり、データ編集の際の利便性に供する。
【００５３】
なお、本例においては、主にＤＶＤ等の取り出し可能な記録媒体について説明したが、これに限られず記録媒体としてハードディスク（ＨＤ）であっても同様に適応可能である。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５５】
【図１】本発明の実施の形態１に従う情報記録再生装置１の概略ブロック図である。
【図２】ＮＴＳＣ方式で放送される放送ビデオ情報の垂直帰線消去期間に入力される水平走査ライン２０に対応するデータ構造を説明する図である。
【図３】ワード０のデータ構造を説明する図である。
【図４】ワード１およびワード２のデータ構造を説明する図である。
【図５】ワード２の７，８ビット目のデータについて説明する図である。
【図６】ワード２の７，８ビット目の情報に基づいて規定されるアプリケーションを説明する図である。
【図７】ＰＡＬ方式で放送される放送ビデオ情報の垂直帰線消去期間に入力される水平走査ライン２３に対応する一部のデータ構造を説明する図である。
【図８】グループ１のアスペクト比に関するデータ構造を説明する図である。
【図９】グループ４のコピーライトに関するデータ構造を説明する図である。
【図１０】放送ビデオ情報を受信する本発明の情報記録再生装置１においてチャプタマークを付加する方式を説明する図である。
【図１１】本発明の実施の形態２に従う放送ビデオ情報を受信する本発明の情報記録再生装置１においてチャプタマークを付加する方式を説明する図である。
【符号の説明】
【００５６】
１  情報記録再生装置、５  制御部、１０  エンコーダ部、１５  チューナ、２０  メモリ、２５  データプロセッサ部、３０  ディスクドライブ部、１００  記録媒体。
【図１】
2006332993.tif 000003
【図２】
2006332993.tif 000004
【図３】
2006332993.tif 000005
【図４】
2006332993.tif 000006
【図５】
2006332993.tif 000007
【図６】
2006332993.tif 000008
【図７】
2006332993.tif 000009
【図８】
2006332993.tif 000010
【図９】
2006332993.tif 000011
【図１０】
2006332993.tif 000012
【図１１】
2006332993.tif 000013